(57)【要約】      （修正有）【課題】皮膚またはその他の組織の制御された凍結および皮膚組織を徐々に明るくすることを提供できる改良された凍結手術手順の方法および装置を提供する。【解決手段】皮膚組織の表面に接触するための末端表面１４０を含む接触要素１１０を使用すること、およびさらに冷却要素１２０を使用することが可能である。冷却要素１２０は、接触要素１１０の少なくとも一部分を約−４℃よりも低い温度に冷却するように構成され得る。接触要素１１０の末端表面１４０は、その中に設けられた複数のくぼみ２１０を含み得る。【選択図】図１
2020110621.tif 000002
【特許請求の範囲】
【請求項１】
皮膚組織を冷却するための装置であって、
前記皮膚組織の表面に接触するように構成された末端表面を含む接触要素と、
冷却要素とを含み、
前記冷却要素は、前記接触要素の前記末端表面を約−４℃よりも低い温度に冷却するように構成され、
前記接触要素の前記末端表面は、その中に設けられた複数のくぼみを含む、装置。
【請求項２】
前記接触要素は、前記皮膚組織の熱浸透率よりも少なくとも１０倍大きい熱浸透率を有する材料から少なくとも部分的に形成される、請求項１に記載の装置。
【請求項３】
前記接触要素は、前記皮膚組織の熱浸透率よりも少なくとも１０倍大きい熱浸透率を有する複数の材料から少なくとも部分的に形成される、請求項１に記載の装置。
【請求項４】
前記くぼみの幅は、約０．３ｍｍから約２ｍｍであり、前記くぼみの深さは、約０．３ｍｍから約２ｍｍである、請求項１〜３のいずれか一項に記載の装置。
【請求項５】
前記くぼみによってカバーされる前記接触要素の前記末端表面の面積分率は、約０．０５から約０．５である、請求項１〜４のいずれか一項に記載の装置。
【請求項６】
前記冷却要素は、熱電冷却器、ペルチェ・デバイス、少なくとも１つの冷媒もしくは相転移材料を封入するように構成されたリザーバ、または冷媒を循環させるように構成された少なくとも１つのコンジット、の少なくとも１つを含む、請求項１〜５のいずれか一項に記載の装置。
【請求項７】
前記冷却要素は、前記接触要素の前記末端表面を約−７℃よりも低い温度に冷却するように構成される、請求項１〜６のいずれか一項に記載の装置。
【請求項８】
前記冷却要素は、前記接触要素の前記末端表面を約−７℃から−１０℃の温度に冷却するように構成される、請求項１〜６のいずれか一項に記載の装置。
【請求項９】
前記冷却要素は、前記接触要素の前記末端表面を約−５℃から−２０℃の温度に冷却するように構成される、請求項１〜６のいずれか一項に記載の装置。
【請求項１０】
前記接触要素内または前記接触要素に近接して設けられた少なくとも１つの温度センサをさらに含む、請求項１〜９のいずれか一項に記載の装置。
【請求項１１】
前記接触要素の前記末端表面に近接して設けられた少なくとも１つの温度センサをさらに含む、請求項１〜９のいずれか一項に記載の装置。
【請求項１２】
制御要素をさらに含み、前記少なくとも１つの温度センサは、前記制御要素に信号を与えるように構成される、請求項１０または１１のいずれか一項に記載の装置。
【請求項１３】
前記接触要素の前記末端表面に近接する前記皮膚組織が凍結しているかどうかを検出するように構成された検知要素をさらに含む、請求項１〜１２のいずれか一項に記載の装置。
【請求項１４】
前記接触要素の前記末端表面と前記皮膚組織の表面との接触圧力を検出するように構成された少なくとも１つの圧力センサをさらに含む、請求項１〜１３のいずれか一項に記載の装置。
【請求項１５】
前記接触要素の前記末端表面は可撓性である、請求項１〜１４のいずれか一項に記載の装置。
【請求項１６】
前記装置は、複数の冷却要素を含む、請求項１〜１５のいずれか一項に記載の装置。
【請求項１７】
前記装置は、複数の接触要素を含む、請求項１〜１６のいずれか一項に記載の装置。
【請求項１８】
皮膚組織を冷却するための美容方法であって、
前記皮膚組織の表面の少なくとも一部分を低温物体の表面と接触させるステップを含み、
前記低温物体の前記表面は、その中に設けられた複数のくぼみを含み、
前記低温物体の前記表面は、約−４℃よりも低い温度にて提供される、方法。
【請求項１９】
前記くぼみの幅は、約０．３ｍｍから約２ｍｍであり、前記くぼみの深さは、約０．３ｍｍから約２ｍｍである、請求項１８に記載の方法。
【請求項２０】
前記くぼみによってカバーされる前記低温物体の前記表面の面積分率は、約０．０５から約０．５である、請求項１８または１９のいずれか一項に記載の方法。
【請求項２１】
前記低温物体は、前記皮膚組織の熱浸透率よりも少なくとも１０倍大きい熱浸透率を有する材料から少なくとも部分的に形成される、請求項１８〜２０のいずれか一項に記載の方法。
【請求項２２】
前記低温物体の前記表面の温度は、約−７℃から−１０℃にて提供される、請求項１８〜２１のいずれか一項に記載の方法。
【請求項２３】
前記低温物体の前記表面の温度は、約−５℃から−２０℃にて提供される、請求項１８〜２１のいずれか一項に記載の方法。
【請求項２４】
前記低温物体は、約１分間より短い持続時間だけ前記皮膚組織と接触して提供される、請求項１８〜２３のいずれか一項に記載の方法。
【請求項２５】
前記皮膚表面と接触する前記低温物体の少なくとも一部分に近接する前記皮膚組織の凍結を検出するステップをさらに含む、請求項１８〜２４のいずれか一項に記載の方法。
【請求項２６】
前記低温物体が前記皮膚組織の前記表面の前記部分と接触する間、前記低温物体の前記温度を実質的に一定の温度に維持するステップをさらに含む、請求項１８〜２５のいずれか一項に記載の方法。
【請求項２７】
前記低温物体と前記皮膚組織の前記表面との接触圧力を、予め定められた値よりも上に維持するステップをさらに含む、請求項１８〜２６のいずれか一項に記載の方法。
【発明の詳細な説明】
【技術分野】
【０００１】
関連出願の相互参照
本出願は、本明細書においてその開示全体を引用により援用する２０１４年２月１２日に提出された米国特許仮出願第６１／９３９，１６２号に関係しており、その優先権を主張するものである。
【０００２】
本開示の分野
本開示は一般的に、生物組織の色素沈着に影響を与えることに関し、より特定的には、皮膚組織の色素沈着に影響を与えるための皮膚組織の制御された冷却のための方法および装置に関する。
【背景技術】
【０００３】
たとえば皮膚組織などの生物組織の制御された冷却または凍結は、さまざまな効果を生じ得る。たとえば従来のクリオプローブなど、特定の組織凍結手順およびデバイスは、組織の極度の凍結を引き起こして細胞の損傷を引き起こし得る。たとえば、中程度の冷却または凍結は、たとえば皮膚色素の発現に影響するなどの特定の効果を生じ得る。
【０００４】
美容製品に対して、皮膚の外観を明るくできること、または別様に皮膚色素沈着に制御可能に影響できることが要求される。たとえば、美容上の理由から、全体的な外観を変えるために全体の顔色または皮膚のある領域の色を明るくすることが望ましいことがある。加えて、皮膚中の過剰な局所量の色素によってもたらされ得る、たとえば大きなシミ、「カフェオレ」スポット、肝斑、または眼の下の暗い輪など、皮膚の特定の色素沈着過剰領域の外観を明るくすることも、美容上の理由から望ましいことがある。色素沈着過剰は、たとえばＵＶ露出、加齢、ストレス、外傷、炎症などのさまざまな因子によってもたらされ得る。こうした因子は、皮膚におけるメラニン細胞による過剰なメラニンの生成またはメラニン形成をもたらすことがあり、それによって色素沈着過剰範囲の形成がもたらされ得る。こうした色素沈着過剰範囲は、典型的には表皮内に位置し得る。しかし、色素沈着過剰範囲は真皮内に過剰なメラニンが堆積することによってももたらされ得る。加齢によるシミを明るくして、こうした色素沈着過剰の影響を低減すると主張する多くの局所調合物が市販されている。しかし、これらの美容調合物のほとんどは有効性が疑わしく、望ましくない副作用を生じることがある。
【０００５】
たとえば凍結手術手順の際に起こり得るものなどの、組織の一時的冷却または凍結に応答して、皮膚組織の色素沈着低下が観察されている。皮膚の冷却または凍結に続く色素沈着の損失は、メラノソーム生成の減少、メラニン細胞の破壊、または表皮層の下側領域における角化細胞へのメラノソームの移動の阻害によってもたらされ得る。結果として得られる色素沈着低下は、持続性または永続性であり得る。加えて、これらの凍結手順のいくつかは、皮膚組織の色素沈着過剰の領域を生じ得ることが観察されている。
【０００６】
たとえば特許文献１などに記載されるとおり、近年、皮膚組織の制御された冷却または凍結が色素沈着低下を生じ得ることが認識されている。色素沈着の結果に影響し得る要素は、冷却温度、冷却時間、および冷却のために皮膚表面に接触し得る冷却物体の幾何学的特徴を含み得る。こうした冷却または凍結のために提案されてきた表面ジオメトリは、たとえば単純な平坦プレート、小さな突起（例、直径約１〜２ｍｍ未満）を有するプレート、および非連続的な隆起特徴（例、直径約５〜１０ｍｍより大きい）を有するプレートなどを含む。異なる冷却プレートジオメトリの使用に基づいて、こうした手順における色素沈着低減および一貫性にいくらかの可変性があることがあり、さらにこうした結果は、たとえばプレート温度および接触持続時間などの他のパラメータに対して感受性であり得る。
【０００７】
したがって、本明細書の上記において説明した欠陥または問題点の少なくともいくつかを対処および／または克服し得る、皮膚またはその他の組織の制御された凍結および皮膚組織を徐々に明るくすることを提供できる方法および装置が必要とされ得る。
【先行技術文献】
【特許文献】
【０００８】
【特許文献１】米国特許公開第２０１１／０３１３４１１号明細書
【発明の概要】
【課題を解決するための手段】
【０００９】
本明細書に記載される例示的実施形態は、本明細書の上記において説明した欠陥または問題点の少なくともいくつかを対処および／または克服し得る、美容の方法および装置に関する。本明細書に記載される特徴および実施形態の異なる組み合わせによって協働効果が起こり得るが、こうした組み合わせのすべてが詳細に記載されるわけではない。さらに、方法に関する本開示のすべての実施形態は、記載されるステップの順序で行われ得るが、これは例示的方法のステップの唯一かつ必須の順序ではなくてもよいことを注記する。たとえば、本明細書によって方法ステップおよび手順のすべての異なる順序および組み合わせが記載されるものとする。
【００１０】
本開示の例示的実施形態は、低温技術を用いて皮膚のある範囲の全体的色素沈着を低減できる、皮膚組織の制御された冷却または凍結のための非侵襲的な方法および装置に関する。本開示の例示的実施形態の１つにおいては、皮膚外観の美白を生じるために、皮膚の領域を特定の温度および持続時間で制御可能に冷却または凍結するための装置が提供され得る。
【００１１】
本開示の例示的実施形態に従うと、この装置は、好ましくはたとえば皮膚組織より少なくとも約１０倍大きい浸透率などの大きな熱浸透率（thermal effusivity）を有する材料で少なくとも部分的に形成された、冷却接触要素を含んでもよい。たとえばそのプレートは、たとえば黄銅、金、銀、銅、またはアルミニウムなどの金属または合金、ダイヤモンドまたはダイヤモンド様の炭素、凍結材料、または高い熱浸透率を有する別の材料、たとえばダイヤモンドなどで少なくとも部分的に作られてもよい。接触要素（contact arrangement）は、皮膚の領域の表面と接触するように構成された末端表面を有してもよい。任意には、接触要素は、異なる熱物理特性（例、異なる熱浸透率）を有する２つまたはそれ以上の材料を用いて形成されてもよい。例示的実施形態の１つにおいて、第２の材料の層またはフィルムは、接触要素の末端（接触）表面に設けられてもよい。
【００１２】
接触要素の末端接触表面は、実質的に平面状であってもよいし、皮膚の領域との接触を容易にするために凸状または凹状であってもよい。接触表面には、たとえば実質的に円形であってその直径または幅が約０．３ｍｍから約３ｍｍ、または約０．５ｍｍから２ｍｍ、または任意には約１ｍｍであってもよい小さな凹部などの複数のくぼみが設けられてもよい。くぼみの深さは約０．３ｍｍから約２ｍｍ、または約０．５ｍｍから約１．５ｍｍ、または任意には約１ｍｍであってもよい。くぼみは規則的なパターン（例、矩形または三角形の配列）で設けられてもよいし、接触表面上にランダムまたは半ランダムに分散されてもよい。
【００１３】
本開示のさらなる例示的実施形態において、くぼみの１つまたはそれ以上は、約０．３ｍｍから約３ｍｍ、または約０．５ｍｍから２ｍｍ、または任意には約１ｍｍの幅（例、小さい方の寸法）を有する伸長した形状を有してもよい。伸長したくぼみの長さ（例、長い方の寸法）は、対応する幅よりも大きくてもよい。こうした伸長したくぼみの深さは、約０．３ｍｍから約２ｍｍ、または約０．５ｍｍから約１．５ｍｍ、または任意には約１ｍｍであってもよい。伸長したくぼみは規則的なパターンで（例、その長軸を互いに平行または垂直にして）設けられてもよいし、それらの配向および／または位置が接触表面上にランダムまたは半ランダムに分散されてもよい。本開示の例示的実施形態の１つにおいて、伸長したくぼみは、接触表面の一部または実質的に全体の幅もしくは長さにわたって延在し得る、複数の実質的に平行な溝として設けられてもよい。
【００１４】
本開示のさらなる例示的実施形態においては、単一の接触表面上に、異なるサイズおよび／または形状（例、異なる幅、長さ、および／または深さ）を有するくぼみが設けられてもよい。こうしたくぼみは規則的な配列で設けられてもよいし、ランダムまたは半ランダムに配向および配置されてもよい。
【００１５】
くぼみが末端表面に接するところのくぼみの端縁は、鋭利な端縁を避けるためにたとえば任意に丸くされたり斜角を付けられたりしてもよい。くぼみの内部表面は円形、円柱形、または正方形の輪郭であってもよいし、別の形状を有してもよい。円形のくぼみの内部表面は円柱形であってもよいし、球または楕円体の一部の形状を有してもよい。伸長したくぼみの内部表面は、たとえば円形または楕円形の円柱の一部などのように丸くされた形状を有してもよいし、内部に角が設けられてもよい。
【００１６】
接触表面上のくぼみの面積分率（area fraction）は、たとえば約０．０５から約０．５０、または任意には約０．１０から約０．３０、または約０．２０などであってもよい。面積被覆分率のこうした例示的な範囲および値は、色素沈着低下効果を生じるための局所的冷却および／または凍結の効力を改善するために、くぼみの十分な面積密度を提供すると同時に、接触表面による十分な面積の直接的皮膚接触を提供できるものである。
【００１７】
本開示のさらなる例示的実施形態において、装置に冷却要素（cooling arrangement）が設けられてもよい。例示的な冷却要素は、たとえば冷却プレートと熱接触させて設けられたリザーバなどを含み得る。プレートを冷却するために、リザーバ内にはたとえば生理食塩水、水−アルコール混合物、または水−グリコール混合物などの冷媒もしくはその他の熱吸収媒体が提供されてもよい。任意には、プレートに継続的な冷却を提供するために、リザーバおよび／またはリザーバ内に形成された１つもしくはそれ以上のダクトの中を冷却された冷媒が循環してもよい。任意には制御要素（control arrangement）が設けられてもよく、冷却要素は、冷却プレートが皮膚と接触している間、冷却プレートの特定の温度を制御および／または維持するように構成されてもよい。接触素子の部分の温度制御を容易にするために、接触素子の上または中に１つまたはそれ以上の温度センサが設けられてもよい。
【００１８】
本開示の別の例示的実施形態においては、たとえばペルチェ・デバイスなどの熱電冷却デバイスまたはその他の冷却ソースを、冷却のために接触要素と熱接触させて設けてもよい。特定の実施形態において、接触要素は冷却デバイスの冷却部分の一部として形成されて、皮膚表面に直接置かれるように構成されてもよい。
【００１９】
冷却プレートまたはデバイスが皮膚表面と接触して置かれている間に、冷却プレートもしくはデバイスの温度を制御するか、接触／冷却される組織の局所温度を検出するか、および／または皮膚組織の局所的凍結を検出するために、１つまたはそれ以上の温度および／もしくは光センサ、またはその他のタイプのセンサが提供されてもよい。たとえば局所的組織凍結が始まった後の低温物体と皮膚表面との接触時間の持続時間などとして、凍結の開始に関連する処置時間が任意に定められてもよい。接触センサ、非接触センサ、または両方を用いて温度が測定されてもよい。特定の処置時間が経過した後に凍結組織を温めるために、加熱配置が任意に提供されてもよい。望ましくないか、または過剰な冷却または凍結を回避できるように、フィードバック信号が生成されて、冷却デバイスまたはもし存在すれば制御要素に送信されてもよい。たとえば、処置を受ける人物に危険またはリスクがもたらされない安全かつ有効な処置手順を促進するために、フィードバック制御が提供されてもよい。
【００２０】
本開示のさらなる例示的実施形態に従うと、組織凍結をこうした凍結の開始時に検出するための方法および装置が提供されてもよい。こうした例示的凍結検出は、たとえば温度検出、光検出、ならびに／または皮膚組織の電気および／もしくは機械インピーダンスの測定などに基づいていてもよい。
【００２１】
本開示の別の例示的実施形態においては、装置の接触表面と皮膚表面との接触圧力を検出するために、１つまたはそれ以上の圧力センサが設けられてもよい。
【００２２】
本開示のさらに別の例示的実施形態においては、装置の接触表面と皮膚表面との接触の改善を促進するために、接触要素は可撓性または柔軟な接触表面を含んでもよい。皮膚組織からの高速の熱抽出を維持しながら接触表面の変形を促進するために、冷却要素と接触表面における可撓性フィルムとの間に、高い熱伝導率または浸透率を有する柔軟または可鍛性の物質が設けられてもよい。こうした柔軟または可鍛性の物質は、たとえば熱伝導性のペーストもしくはゲル、または予め定められた接触温度であるか、それに近いか、もしくは近接する相転移（phase transition）温度もしくは範囲を有する２相のスラッシュもしくはスラリーなどを含んでもよい。
【００２３】
本開示のさらに別の例示的実施形態においては、たとえばくぼみの中などの装置の接触表面と皮膚表面との接触の改善を促進するために、接触要素中の１つまたはそれ以上のチャネルを含む真空配置が提供されてもよい。
【００２４】
本開示の他の例示的実施形態においては、冷却装置に複数の冷却要素および／または複数の接触要素が設けられてもよい。各冷却要素および／または各接触要素と通信する１つまたはそれ以上の温度センサ、圧力センサ、凍結検出器、および／または制御要素が任意に関連付けられるか、または設けられてもよい。
【００２５】
本開示のさらなる例示的実施形態においては、皮膚組織において色素沈着低下を生成するための美容方法が提供されてもよい。例示的実施形態の１つにおいては、局所化した色素沈着低下効果を誘導するために皮膚の領域を冷却および／または凍結するステップを含む、皮膚の外観を明るくするための方法が提供されてもよい。皮膚の特定の領域を２回以上処置することによって、さらに明るくすること（美白）を達成できる。
【００２６】
本開示のさらなる例示的実施形態において、この美容方法は、皮膚組織の領域を、たとえば少なくともおよそ真皮−表皮接合部の深さなど、少なくとも基底層の深さなどまで凍結するステップを含んでもよく、それによって色素沈着低下効果を提供できる。この例示的な凍結は好ましくは、約−５℃よりも低い温度、たとえば約−７℃から−１０℃などにて提供される、複数のくぼみが設けられたたとえば冷却プレートなどの接触要素の末端表面と、皮膚表面とを接触させることによって達成されてもよい。特定の例示的実施形態においては、約−１５℃から−２０℃という低温が使用され得る。接触要素の末端表面の温度が約−７℃から−１０℃であるとき、局所的組織凍結の開始後に低温物体が皮膚表面に接触された持続時間に対応し得る冷却または処置時間は、約２分未満、または好ましくは約１分未満、たとえば約３０秒から１分間などであってもよい。接触要素の末端表面がより低温にて提供されるときには、もっと短い冷却時間が使用されてもよく、たとえば低温物体の温度が約−１５℃から−２０℃であるときには、約３０秒未満または約１５秒未満などであってもよい。こうした温度および時間は、皮膚組織における色素沈着低下応答をもたらし得るとともに、皮膚の複数の領域の連続的冷却または凍結を簡単にするために十分に速い。
【００２７】
接触要素が皮膚表面と接触して置かれている間に、接触要素および／もしくは接触要素と熱的に連絡して設けられる冷却デバイスの温度を制御するためか、接触／冷却される組織の局所温度を検出するためか、ならびに／または皮膚組織の局所的凍結を検出するために、１つまたはそれ以上の温度および／もしくは光センサ、またはその他のタイプのセンサが提供されてもよい。たとえば局所的組織凍結が始まった後の低温物体と皮膚表面との接触時間の持続時間などとして、凍結の開始に関連する処置時間が任意に定められてもよい。接触センサ、非接触センサ、またはその両方を用いて温度が測定されてもよい。特定の処置時間が経過した後に凍結組織を温めるために、加熱配置が任意に提供されてもよい。望ましくないか、または過剰な冷却または凍結が回避されるように、フィードバック信号が生成されて、もし存在すれば冷却デバイスに送られてもよい。言い換えると、処置を受ける人物に危険またはリスクがもたらされない安全な処置手順を確実にするために、フィードバック制御が提供されてもよい。
【００２８】
本開示の例示的実施形態に従う例示的方法および装置は、色素脱失範囲を制御可能に形成することによって、処置される皮膚範囲の徐々の美白を提供できる。その範囲をさらに明るくするために、複数の処置が使用されてもよい。加えて、本明細書に記載される例示的方法および装置は、凍結組織の小さい領域における応答を刺激することによって、皮膚の全体的外観を改善してもよい。
【００２９】
例示的に記載される美容方法をテストしてきて、美容院またはその他の設定において実施され得る安全なルーチン手順であると判定する。この例示的方法は非侵襲的な方法であり得る。さらに、この方法は非侵襲的であり、実質的な健康リスクを提示せず、実行のために専門的な医学的専門技術を必要としないため、安全であり得る。本明細書に記載される方法の実施形態を行うために臨床医は必要とされず、以下の説明から明らかになるとおり、前記美容方法によって処置される人物に対するリスク、ましてや健康リスクは提示されない。
【００３０】
本開示のこれらおよびその他の目的、特徴および利点は、添付の請求項とともに本開示の実施形態の以下の詳細な説明を読むことによって明らかになるであろう。
【００３１】
本開示の例示的実施形態、例示的実施形態の結果および／または特徴を示す添付の図面とともに提供される以下の詳細な説明から、本開示のさらなる目的、特徴および利点が明らかになるであろう。
【図面の簡単な説明】
【００３２】
【図１】本開示の例示的実施形態に従う、皮膚組織中に低温で色素沈着低下を生成するために使用され得る例示的装置の側面断面図である。
【図２Ａ】図１に示される例示的装置の接触素子の例示的断面側面図である。
【図２Ｂ】図２Ａに示される接触素子の第１の例示的構成の底面図である。
【図２Ｃ】図２Ａに示される接触素子の第２の例示的構成の底面図である。
【図２Ｄ】図２Ａに示される接触素子の第３の例示的構成の底面図である。
【図２Ｅ】図２Ａに示される接触素子の第４の例示的構成の底面図である。
【図２Ｆ】図２Ａに示される接触素子の第５の例示的構成の底面図である。
【図２Ｇ】図２Ａに示される接触素子の第６の例示的構成の底面図である。
【図２Ｈ】図２Ａに示される接触素子の第７の例示的構成の底面図である。
【図２Ｉ】図２Ａに示される接触素子の第８の例示的構成の底面図である。
【図２Ｊ】図２Ａに示される接触素子の第９の例示的構成の底面図である。
【図２Ｋ】図２Ａに示される接触素子の第１０の例示的構成の底面図である。
【図３Ａ】本開示の例示的実施形態に従う、皮膚表面に接触する丸くされたくぼみを含む例示的接触素子の側面断面図である。
【図３Ｂ】本開示のさらなる例示的実施形態に従う、円柱形または矩形の輪郭を有するくぼみを含む例示的接触素子の側面断面図である。
【図３Ｃ】本開示の別の例示的実施形態に従う、浅い丸くされたを含む例示的接触素子の側面断面図である。
【図３Ｄ】本開示のさらなる例示的実施形態に従う、深いくぼみを含む例示的接触素子の側面断面図である。
【図４Ａ】複数の温度センサを含む、図２Ａに示される接触素子の例示的構成の底面図である。
【図４Ｂ】接触素子の上および中の異なる場所に設けられた３つの熱センサを含む、例示的接触素子の断面側面図である。
【図５】本開示の例示的実施形態に従う、局所的皮膚凍結を検出するための光学配置を含む、皮膚組織を制御可能に冷却するための例示的装置の側面断面図である。
【図６】生きたブタの皮膚の領域が冷却されて皮膚の局所的凍結が始まるときの、測定された表面温度および光反射率の両方の変化を示す、本開示の例示的実施形態に従う装置によって生成された例示的データグラフの図である。
【図７】本開示の付加的な例示的実施形態に従う、異なる熱物理特性を有する２つの異なる材料を含む例示的接触素子の断面側面図である。
【図８】本開示の例示的実施形態に従う、接触素子と皮膚表面との接触圧力を検出するための圧力センサを含む、皮膚組織を制御可能に冷却または凍結するための例示的装置の側面断面図である。
【図９】本開示のさらなる例示的実施形態に従う、接触表面と皮膚表面との接触を促進するように構成された真空配置を含む例示的接触素子の断面側面図である。
【図１０】可撓性または柔軟な接触表面を含む例示的接触素子の断面側面図である。
【図１１】本開示の別の例示的実施形態に従う、２つ以上の冷却要素および２つ以上の接触素子を含む、皮膚組織を制御可能に冷却または凍結するための例示的装置の側面断面図である。
【図１２Ａ】本開示の例示的実施形態に従うくぼみのある接触表面を用いて、１５秒の接触時間の間−９℃に冷却してから４週間後に得られたブタ皮膚の領域の例示的画像の図である。
【図１２Ｂ】冷却してから９．５週間後に得られた、図１２Ａに示されるブタ皮膚の領域の例示的画像の図である。
【図１３Ａ】平滑な接触表面を用いて、１５秒の接触時間の間−９℃に冷却してから４週間後に得られたブタ皮膚の領域の例示的画像の図である。
【図１３Ｂ】冷却してから９．５週間後に得られた、図１３Ａに示されるブタ皮膚の領域の例示的画像の図である。
【図１４Ａ】本開示の例示的実施形態に従うくぼみのある接触表面を用いて、３０秒の接触時間の間−９℃に冷却してから４週間後に得られたブタ皮膚の領域の例示的画像の図である。
【図１４Ｂ】冷却してから９．５週間後に得られた、図１４Ａに示されるブタ皮膚の領域の例示的画像の図である。
【図１５Ａ】平滑な接触表面を用いて、３０秒の接触時間の間−９℃に冷却してから４週間後に得られたブタ皮膚の領域の例示的画像の図である。
【図１５Ｂ】冷却してから９．５週間後に得られた、図１５Ａに示されるブタ皮膚の領域の例示的画像の図である。
【発明を実施するための形態】
【００３３】
図面全体を通じ、別様に述べられない限り、同じ参照番号および文字は、示される実施形態の類似の特徴、素子、構成要素、または部分を示すために使用される。よって、類似の特徴が同じ参照番号によって記載されることがあり、これは別様に明確に述べられない限り、異なる実施形態の間で特徴の交換を行い得ることを当業者の読者に示すものである。さらに、ここでは図面を参照しながら本開示を詳細に説明するが、これは例示的実施形態に関連して行われるものであって、図面に示される特定の実施形態に限定されるものではない。添付の請求項によって定義される本開示の真の範囲および趣旨から逸脱することなく、記載される実施形態に対する変更および修正が行われ得ることが意図される。
【００３４】
本開示の例示的実施形態に従うと、皮膚組織の領域を制御可能かつ非侵襲的に冷却および／または凍結するために、寒冷療法に基づくアプローチを使用できる。こうした冷却または凍結は、皮膚の全体的外観を明るくしたり、過剰な色素沈着を有する特定の皮膚範囲の全体的暗さを低減したりできる。たとえば、皮膚の領域を低温物体と接触させることによって、下にある皮膚の色素の形成および／または発現を阻害できる。この効果は、処置された範囲の長期間またはおそらくは永続的な美白を提供できる。
【００３５】
図１は、本開示の例示的実施形態に従う、たとえば皮膚組織において色素沈着低下効果を生じるなどのために皮膚を制御可能に冷却および／または凍結するための例示的装置１００の断面図を提供する。例示的装置１００は、冷却要素１２０と熱的に連絡して設けられた接触素子１１０を含み得る。特定の例示的実施形態において、接触素子１１０および冷却要素１２０は、少なくとも部分的に単一の材料から形成されてもよい。制御要素１５０が任意に提供されて、冷却要素１２０の特定の局面、たとえば温度、時限式停止などを制御するために使用されてもよい。たとえば装置１００の取り扱いおよび位置決めを容易にするなどのために、図１に示されるとおり、冷却要素１２０、制御要素１５０、および／または接触素子１１０を任意にはハウジングまたはハンドピース１３０の中に設けるか、またはそこに付着させてもよい。図１に示される例示的装置１００は、必ずしも縮尺どおりに描かれていない。たとえば、冷却要素１２０と接触素子１１０との相対的寸法は、図１に示される割合に限定されない。本開示のさらなる例示的実施形態において、接触素子１１０は、冷却要素１２０の寸法よりも大きいかまたは小さい幅または断面積であってもよい。
【００３６】
接触素子１１０は、皮膚表面と接触するように構成された末端（接触）表面１４０を含み得る。末端表面１４０は実質的に平坦であってもよい。本開示のさらなる例示的実施形態においては、処置される皮膚組織の局所的形状により良く適合させるため、および／または装置１００が処置される皮膚の範囲に置かれたときに皮膚表面との良好な熱接触を提供するために、末端表面１４０は凸状または凹状であってもよい。本開示のさらなる例示的実施形態においては、たとえば、異なるサイズ、形状、および／または本明細書に記載されるとおりの表面特徴を有する複数の接触素子１１０を単一の冷却素子１２０とともに使用できるように、接触素子１１０は冷却要素１２０から取り外し可能であってもよい。
【００３７】
皮膚の大きい範囲の処置を容易にするために、末端接触表面１４０は、皮膚の領域の表面に接触するように構成された大きな幅または直径を有してもよく、たとえば約３ｃｍより大きいか、または約５ｃｍより大きい直径または幅を有してもよい。さらなる実施形態において、末端表面１４０の幅は、たとえば１〜２ｃｍ以下のオーダなどの小ささであってもよく、それによって温度制御および／または皮膚の特定の特徴の処置の改善を容易にしてもよい。
【００３８】
接触素子１１０は、たとえばそれらの熱物理特性の値が皮膚組織に対する対応値よりも大きくなるように、金属もしくは金属合金、または高い熱浸透率を有する別の材料から形成されてもよい。熱浸透率εは、材料の熱伝導性とその容積熱容量との積の平方根に等しい。熱浸透率とは、ある材料がその周囲と熱を交換したり、そうする際に一貫した温度を維持したりする能力の尺度である。たとえば、それぞれ温度Ｔ１およびＴ２である２つの半無限材料が接触しているところの界面温度Ｔｉは、それらの相対的浸透率ε１およびε２に依存し、Ｔｉ＝Ｔ１＋（Ｔ２−Ｔ１）＊［ε２／（ε２＋ε１）］となる。したがって、たとえばε２＞＞ε１のとき、熱は一方から他方に流れるため、２つの材料が接触しているところの界面温度はＴ２に近いままとなる。この態様で、第２の材料が第１の材料と接触するとき、第１の材料の表面は、それよりもかなり高い熱浸透率を有する第２の材料の温度の近くまで冷却される。
【００３９】
たとえば、接触素子１１０の少なくとも一部または全体は、黄銅、銅、銀、アルミニウム、アルミニウム合金、鋼、グラファイト、ダイヤモンド、ダイヤモンド様の炭素、従来の接触クリオプローブに使用されるその他の材料、またはそれらの組み合わせから作られてもよい。たとえば接触素子１１０は、全体または少なくとも一部が、皮膚組織よりもかなり高い熱伝導性を有する材料から形成されてもよく、接触素子１１０の末端表面１４０に接触される組織の部分からの熱抽出を促進するために使用されてもよい。さらに、たとえば皮膚の熱浸透率の少なくとも約１０倍など、皮膚組織よりもかなり高い熱浸透率を有する材料は、低温にてより容易に維持され得る。それによって、こうした高浸透率材料は、もっと低い熱浸透率を有する材料よりも接触素子１１０が接触する組織の部分からより効果的に熱を抽出し、接触界面における組織温度のより良好な制御を容易にしてもよい。
【００４０】
本開示の特定の例示的実施形態において、接触素子１１０の末端接触表面１４０は、冷却要素１２０に接触する接触素子１１０の基端部よりも面積が小さくてもよい。こうしたジオメトリは、特定の利点を提供できる。たとえば、接触素子１１０の末端部を狭くするか、または先細にすることによって、たとえばハウジング１３０による視覚的妨害を低減させながら、冷却されるべき皮膚表面の特定の場所への末端表面１４０のより正確な配置を容易にできる。さらに、接触素子１１０の基端部を相対的に大きくすることによって、冷却要素１２０によって直接冷却され得る面積を大きくでき、より小さな末端接触表面１４０からの熱の抽出の増加を促進できる。特定の実施形態において、接触要素の末端接触表面１４０の基端部の面積は、末端接触表面１４０の面積の少なくとも２倍の大きさ、たとえば３〜５倍などの大きさであってもよい。
【００４１】
図２Ａの断面側面図に示されるとおり、接触素子１１０の末端表面１４０には、たとえば接触素子１１０の接触表面１４０に形成されたへこみまたはポケットなどの複数のくぼみ２１０が設けられてもよい。こうしたくぼみ２１０は実質的に円形であってもよく、約０．３ｍｍから約３ｍｍ、または約０．５ｍｍから２ｍｍ、または任意には約１ｍｍの直径または幅を有してもよい。くぼみの深さは約０．３ｍｍから約２ｍｍ、または約０．５ｍｍから約１．５ｍｍ、または任意には約１ｍｍであってもよい。図２Ａに示されるとおり、末端表面１４０の端縁は丸くされるか、または斜角を付けられてもよく、それによって処置のために装置１００が皮膚表面に置かれたときに、あらゆる鋭利または急峻な端縁または角との接触を避けながら、末端表面１４０と皮膚表面との連続的な接触を容易にできる。
【００４２】
くぼみ２１０を有する接触表面１４０の例示的端部の図を図２Ｂに示す。接触表面１４０上のくぼみ２１０の面積分率は、たとえば約０．０５から約０．５０、または任意には約０．１０から約０．３０、または約０．２０などであってもよい。面積被覆分率のこうした例示的な範囲および値は、色素沈着低下効果を生じるための局所的冷却および／または凍結の効力を改善するために、くぼみ２１０の十分な面積密度を提供すると同時に、接触表面１４０による十分な面積の直接的皮膚接触を提供できるものである。
【００４３】
図２Ａおよび図２Ｂに示される例示的くぼみのサイズおよび深さは実質的に均一であるが、本開示のさらなる実施形態においては、単一の接触素子１１０に関連する個々のくぼみのサイズおよび／または深さは、本明細書に記載される範囲内で変動し得る。
【００４４】
図２Ｂに示されるとおり、接触表面１４０におけるくぼみ２１０の例示的配置は、実質的にランダムであってもよい。図２Ｃに示される本開示のさらなる例示的実施形態において、くぼみ２１０は放射状の配置で設けられてもよい。こうした例示的配置／構成は、くぼみ２１０の密度を低くする（例、隣り合うくぼみ２１０間の平均間隔が広くなる）ことがあり、それによって接触表面１４０の外周近くのくぼみ２１０の効果が低減するおそれがある。さらなる実施形態においては、たとえば図２Ｄに示される六角形の配列または正方形の配列など、規則的な配列でくぼみ２１０が設けられてもよい。
【００４５】
本開示のさらなる例示的実施形態においては、図２Ｅの例示的構成に示されるとおり、くぼみ２１０が伸長した形状を有してもよい。こうした伸長したくぼみ２１０は、小さい方の寸法（例、幅）が約０．５ｍｍから約３ｍｍ、または任意には約１ｍｍであってもよい。こうした伸長したくぼみ２１０の長い方の寸法（例、長さ）は幅よりも大きくてもよく、たとえば幅の２倍またはそれ以上などであってもよい。たとえば、図２Ｅに示される例示的くぼみ２１０は、幅よりも約５倍大きい長さを有する。本開示のさらなる例示的実施形態においては、その他の例示的な長さ対幅の比率が提供され得る。伸長したくぼみ２１０の深さは、約０．３ｍｍから約２ｍｍ、または約０．５ｍｍから約１．５ｍｍ、または任意には約１ｍｍであってもよい。図２Ａに示されるとおり、これらのくぼみ２１０が接触表面１４０に接するところでは、末端表面１４０の端縁が丸くされるか、および／または斜角を付けられてもよい。
【００４６】
図２Ｅに示される例示的な伸長したくぼみ２１０の長軸または寸法は、互いに実質的に平行であってもよい。本開示のさらなる例示的実施形態においては、たとえば図２Ｆに示されるとおり、いくつかの伸長したくぼみ２１０の長軸が、他のものと実質的に垂直であってもよい。本開示のさらなる例示的実施形態においては、伸長したくぼみ２１０の長軸が、接触表面１４０上で互いに対してさまざまな角度で設けられてもよい。図２Ｅおよび図２Ｆに示されるとおり、伸長したくぼみ２１０は規則的な配列またはパターンで設けられてもよい。代替的または付加的には、たとえば図２Ｇに示されるとおり、伸長したくぼみ２１０が不均一またはランダムな配置で設けられてもよい。
【００４７】
本開示のさらなる例示的実施形態においては、単一の末端接触表面１４０に設けられたくぼみ２１０の個々のものが、異なるサイズ、形状、および／または配向を有してもよい。たとえば図２Ｈに示されるとおり、たとえば伸長したくぼみ２１０の異なるものが、同じ幅（小さい寸法）および異なるアスペクト比（例、長さ対幅の比率）を有してもよい。本開示のさらなる例示的実施形態においては、たとえば図２Ｉに示されるとおり、異なるくぼみ２１０は互いに異なる幅および／または異なる長さを有してもよい。本開示のさらなる例示的実施形態においては、たとえば図２Ｊに示されるとおり、接触表面１４０が円形および伸長したくぼみ２１０の両方を含んでもよい。一般的に、さまざまなくぼみ２１０の幅（または直径）および深さは、本明細書に記載されるサイズ範囲内であることが好ましくてもよい。本開示のさらに別の例示的実施形態においては、たとえば図２Ｋに示されるとおり、伸長したくぼみ２１０が複数の実質的に平行な溝として設けられてもよい。図２Ｋの例示的構成に示されるとおり、こうしたくぼみ２１０の端部は、接触表面１４０の外周の内側に位置してもよい。代替的には、くぼみ２１０の少なくともいくつかが接触表面１４０の全長にわたる連続的な溝を形成するように、伸長したくぼみ２１０が接触表面２１０の外周を通って延在してもよい。
【００４８】
くぼみ２１０の内部表面は丸くされても、円柱形であっても、正方形の輪郭であってもよいし、別の形状を有してもよい。たとえば、円形のくぼみ２１０の内部表面は円柱形であってもよいし、球または楕円体の一部の形状を有してもよい。伸長したくぼみ２１０の内部表面は、たとえば円形または楕円形の円柱の一部などのように丸くされた形状を有してもよいし、たとえば正方形に切られたチャネルなどのように、内部に角が設けられてもよい。
【００４９】
一般的に、接触表面における隣り合うくぼみ２１０の間の最短距離は、少なくともくぼみ２１０の幅と同じ大きさであってもよい。たとえば図２Ｂ〜２Ｋに示されるとおり、隣り合うくぼみ２１０の間のこの例示的距離は、それらの幅よりも大きくてもよい。こうした分離距離は、各くぼみ２１０の近傍からの十分な熱抽出を促進でき、さらにくぼみ２１０の間の接触表面１４０の十分な面積を提供できるため、皮膚表面上に接触表面１４０を快適に置くことができる。
【００５０】
図２Ｂ〜２Ｋに示される例示的接触表面１４０の形状は、実質的に円形である。本開示のさらなる例示的実施形態においては、実質的に正方形、矩形、または六角形の形状を有する接触表面１４０が提供されてもよい。こうした形状は、処置範囲の顕著な重複を低減または回避しつつ、接触表面１４０によって皮膚の隣接する範囲に連続的に接触することによる、皮膚のより大きい範囲の処置を容易にし得る。さらなる実施形態においては、接触表面１４０がさらに異なる形状を有してもよい。
【００５１】
異なる例示的実施形態において、接触表面形状のアスペクト比は変動し得る。たとえば、接触表面１４０の正方形、矩形、または六角形の形状は、処置領域の重複がほとんどまたはまったくないようにしながら、皮膚の実質的にすべての所望の処置範囲が装置１００によって冷却されるように、皮膚組織の隣接領域に装置１００を連続的に置くことによる、より大きな範囲の皮膚組織の均一な適用範囲を促進できる。たとえば、皮膚の特定の領域に適合するため、および／または処置すべき特定の皮膚の特徴、たとえば加齢によるシミなどの形状に適合するなどのために、その他の例示的なプレート形状および／またはサイズが提供されてもよい。
【００５２】
本開示の任意の例示的実施形態および特徴とともに、任意の例示的なくぼみの形状、寸法、くぼみのパターン、接触表面のサイズおよび形状など、またはそれらの組み合わせの１つまたはそれ以上が使用されてもよい。たとえば本明細書に記載されるとおり、単一の接触表面１４０が複数のくぼみ形状（例、円形、伸長した形など）、空間配置などを含んでもよく、さらに単一の接触表面１４０上に設けられたこうしたくぼみ２１０のさまざまな特定のものが１つまたはそれ以上の特徴的な直径、幅、および／または深さを有してもよい。
【００５３】
くぼみ２１０に対する幾何学的パラメータのこの例示的な範囲および値によって、接触表面１４０が皮膚の上に置かれたときに、皮膚表面とくぼみ２１０の内表面との部分的接触または完全な接触が提供され得る。これによって、本明細書にさらに詳細に記載される色素沈着低下効果を生じるための局所的冷却および／または凍結の効力を改善できる。たとえば、皮膚組織３００の上に置かれたくぼみ２１０を含む接触素子１１０の断面図を図３Ａに示す。図３Ａに示されるとおり、皮膚表面の上に接触表面１４０が置かれるとき、柔軟な皮膚３００の小部分がくぼみ２１０の中に突出し得る。
【００５４】
特定の理論に結び付けられることなく、皮膚３００のこうした局所的変形は、くぼみ２１０の内表面に接触する局所的表面積の増加を提供できる。加えて、くぼみ２１０の端縁が接触表面１４０に接するところで、皮膚３００のいくらかの局所的伸張が起こり得る。さらに、くぼみ２１０の中でくぼみ２１０の内部表面を通じて皮膚３００の一部から熱を横向きに抽出でき、これによって皮膚冷却の局所的有効性を促進できる。本明細書に記載されるとおり、くぼみ２１０の幅が比較的小さいために、こうした冷却の向上はくぼみ２１０内の皮膚３００の上部（例、表皮領域）に局在化し得る。加えて、くぼみ２１０の間の接触素子１１０の熱伝導性材料は、たとえば皮膚に接触する複数の別個の小さな突起を含む、同じ材料で作られた同じ温度で提供される低温物体などよりも良好な、皮膚３００からの熱抽出を提供できる。
【００５５】
したがって、接触表面１４０に提供されるか、または存在する特定の温度（一般的には０℃未満）に対して、本明細書において示唆される局所的冷却効果の向上は、くぼみ２１０を有さない同じ温度の接触表面１４０に比べて、くぼみ２１０における皮膚組織３００の局所的凍結を促進してもよい。くぼみのある接触表面に存在し得るこうした要素は、実質的に平坦であるか、または１つまたはそれ以上の突起を含む接触表面１４０よりも一貫した、および／または良好な色素沈着低下効果を提供してもよい。示唆されるくぼみ２１０の局所的冷却効果の向上によって、本明細書に記載される例示的装置１００の例示的実施形態はさらに、いかなるくぼみ２１０も伴わない接触表面１４０を用いて類似の効果を生じるために必要な温度および時間よりもわずかに温かい表面温度（例、おそらく１〜２度温かい）および／またはわずかに短い接触時間によって、色素沈着低下効果を提供できる。
【００５６】
図３Ａに示される例示的なくぼみ２１０の断面図は、実質的に半球状のくぼみ、または代替的には、この頁の面の中に延在し得る円柱形の溝、または楕円体のくぼみに対応し得る。本開示のさらなる例示的実施形態に従って使用され得るさらなる例示的なくぼみの構成を、図３Ｂ〜３Ｄに示す。たとえば、図３Ｂに示される例示的くぼみ２１０の断面図は、たとえば円柱形のくぼみ（例、直交する面において円形の断面形状を有するもの）、または矩形の溝などに対応し得る。図３Ｃに示される例示的くぼみ２１０の断面図は、たとえば浅い円形のくぼみまたは浅い円柱形の溝などに対応してもよく、一方図３Ｄに示される例示的な「深い」くぼみ２１０は、たとえばもっと深い円形のくぼみまたは深くて狭い円柱形の溝などに対応し得る。本開示のさまざまな例示的実施形態において、これらの例示的なくぼみ形状のいずれか、またはそれらの組み合わせが使用され得る。
【００５７】
本開示のさらなる例示的実施形態において、冷却要素１２０は、たとえばペルチェ・デバイスなどの熱電冷却デバイスを含んでもよい。こうした冷却デバイス１２０の低温側を、接触素子１１０と熱的に連絡して設けてもよい。こうした冷却要素１２０に電力を供給するための電源は、例示的装置１００の一部として提供されてもよいし、代替的にはそれとは分離した外部電源が提供されてもよい。こうした冷却デバイス１２０の高温側は、それを冷却した物体と接触させること、その少なくとも一部の上に空気もしくは別の気体を流すかもしくは導くこと、および／またはその他の従来の冷却もしくは通気技術によって、任意に冷却されてもよい。特定の例示的実施形態においては、高温側を冷却するために、従来の冷水循環配置（図示せず）を冷却デバイス１２０と熱的に連絡して設けてもよい。さらなる例示的実施形態においては、冷却要素１２０からの熱の消散を促進するために、従来のヒートシンク配置が提供されてもよい。
【００５８】
本開示のさらなる例示的実施形態においては、接触素子１１０の中またはそれに隣接して、１つまたはそれ以上の温度センサ４１０が任意に設けられてもよい。たとえば、上に設置された３つの熱センサ４１０の例示的構成を伴う接触表面１４０を図４Ａに示す。
【００５９】
温度センサ４１０は、接触素子１１０の１つまたはそれ以上の場所に設けられてもよい。たとえば、図４Ｂは、接触表面１４０の上またはそれに隣接する温度センサ４１０と、接触素子１１０の中央部分に設けられた別の温度センサ４１０と、接触素子１１０の基端部分、たとえば冷却要素１２０（図示せず）に隣接するか、またはその近くに設けられたさらなる温度センサ４１０との断面図を示す。たとえば図４Ｂの下側部分に示されるとおり、温度センサ４１０の表面または接触部分が接触表面１４０と実質的に同一平面上になるように、温度センサ４１０は末端表面１４０に位置する小さい溝または凹部の中に設けられてもよい。特定の例示的実施形態においては、接触素子１１０の中またはそれに隣接して複数の温度センサ４１０が設けられてもよく、それによって例示的装置１００の動作中のより正確な温度制御を促進できる。
【００６０】
温度センサ４１０は、たとえば１つまたはそれ以上の熱電対、サーミスタ、または抵抗温度検出器（ｒｅｓｉｓｔａｎｃｅ  ｔｅｍｐｅｒａｔｕｒｅ  ｄｅｔｅｃｔｏｒｓ：ＲＴＤ）などを含んでもよい。単一の装置１００が、１つまたはそれ以上のタイプのこうした温度センサ４１０を含んでもよい。たとえばサーミスタなどの、小さいサイズおよび／または小さい質量を有する温度センサ４１０は、周囲の接触素子材料の熱伝達および熱特性に対する影響を小さくし得るため、特定の例示的実施形態において望ましいかもしれない。本明細書に記載される任意の例示的実施形態とともに、温度センサ４１０が使用され得る。
【００６１】
温度センサ４１０は、冷却要素１２０に関連付けられ得る制御要素１５０（図１に示される）と通信して設けられてもよい。こうした例示的制御要素１５０は、図１に示されるとおりハウジング１３０内に設けられてもよく、任意には冷却要素１２０と一体化されてもよいし、またはハウジング１３０の外に設けられてもよい。制御要素１５０は、冷却要素１２０の特定のパラメータ、たとえば熱電冷却器に与えられる電力レベル、冷却要素１２０またはその一部とともに使用され得る（例、熱電冷却デバイスの高温側を冷却するため、または接触素子１１０の直接的冷却を提供するための）冷却剤の流速または冷却剤の温度などを変更または制御するように構成されてもよい。たとえば、接触表面１４０および／または接触素子１１０内の別の場所における特定の温度（または温度範囲）の安定化および／または維持を容易にするために、温度センサ４１０からの信号を用いた従来のフィードバック制御システムを用いる制御要素１５０が提供されてもよい。制御要素１５０は、たとえば接触素子１１０の接触表面１４０を予め定められた温度に維持するためか、または予め定められた経時的な温度プロファイルに近付けることなどのために、冷却要素１２０の動作を制御するために、従来の比例、積分、および／または微分フィードバックアルゴリズムを使用するように構成されてもよい。こうした制御アルゴリズムは当該技術分野において公知である。
【００６２】
本開示のさらなる例示的実施形態において、こうした温度およびプロセス制御は、複数の温度センサ４１０を用いて達成されてもよい。温度センサ４１０は接触表面１４０の上（またはそれと同一平面上）に設けられてもよく、たとえば図４Ｂに示されるとおり、接触表面１４０の近く、接触素子１１０の中、および／または接触素子１１０の基端部の近くもしくは上（例、冷却要素１２０の隣）などに設けられてもよい。接触表面１４０またはその近くにおける温度の制御は、特定の冷却要素１２０および特定の接触素子１１０の特性（例、接触素子１１０の形状および材料）に対して熱応答を較正することによって、任意にはこうした場所から離れて測定された温度に少なくとも部分的に基づいてもよい。
【００６３】
たとえば、皮膚の基底層（真皮−表皮接合部の近く）の冷却は、（組織の局所的凍結が始まるときに開始する時間間隔として定められ得る）特定の処置時間の間、皮膚の表面を特定の温度に冷却することによって達成され得る。加えて、こうした冷却または局所的凍結は、たとえば皮膚の冷却領域の全体的に明るくなった外観などの、美容上望ましい色素脱失効果を生じ得る。こうした明るくなった外観は、数ヵ月またはそれ以上持続してもよい。加えて、本明細書に記載されるとおりの複数のくぼみ２１０を含む低温接触表面１４０によって皮膚表面を冷却または凍結することは、実質的に平坦であるか、特徴を有さないか、または複数の突起を含む接触表面によって提供される同等の冷却手順よりも、冷却皮膚範囲の一貫した均一な美白を提供できることが観察されている。
【００６４】
したがって、本明細書に記載される任意の例示的実施形態は、約−４℃またはそれ以下、たとえば約−５℃から−１０℃などの温度の１つまたはそれ以上の表面（例、接触素子１１０および／またはその接触表面１４０）を提供するように構成され得る。こうした温度に対応する処置時間は、たとえばこうした温度において約１分間以下、たとえば約３０秒から１分間などであってもよい。組織の凍結を生じる温度および時間のこうした組み合わせは、色素脱失（すなわち全体の色素沈着の喪失）を生成することなく、皮膚における色素沈着低下効果を生じ得る。
【００６５】
本開示のさらなる例示的実施形態においては、過剰な冷却から望ましくない組織損傷を誘導することなく組織の十分な局所的冷却および凍結を生じさせるために、接触素子１１０の少なくとも一部の温度は−１０℃よりも低くてもよく、たとえば−１５℃または−２０℃などの低温であってもよく、それに従って接触または処置時間を短くしてもよい。たとえば、これらのさらなる低温における接触時間は、約−１５℃から−２０℃の温度にて３０秒以下、たとえば約１５〜３０秒間などであってもよい。こうしたさらなる低温は、たとえばより速い処置時間を容易にするため、ならびに／または、たとえば接触素子１１０の熱伝導の熱的非能率性および／もしくは局所的血流によって加熱され得る皮膚の加温効果などの効果を補償するためなどに使用されてもよい。しかし、こうしたさらなる低温および対応するより短い接触時間は、正確な制御が困難になることがあり、組織の何らかの過剰な局所的冷却または凍結をもたらすことがあり、その結果として不均一な色素沈着効果、何らかの浮腫または痂皮の形成などがもたらされ得る。
【００６６】
本明細書に記載される任意の実施形態において、中間接触素子１１０が設けられないときには、冷却要素１２０の低温表面が接触表面１４０ともなり得るように、温度センサ４１０および／またはくぼみ２１０が、冷却要素１２０の低温表面（例、熱電冷却デバイスなどの低温側）の上に直接設けられてもよい。
【００６７】
接触素子１１０の接触表面１４０によって接触される皮膚組織の表皮層の温度は、好ましくは例示的装置１００が処置される皮膚の範囲に接触されるときにその皮膚表面領域の少なくとも一部を局所的に凍結するために十分に低くなってもよい。接触表面１４０は、凍結領域のその後の色素沈着低下を生じるために十分な例示的持続時間の間、処置される皮膚の領域に接触して置かれてもよい。この例示的な持続時間は、装置１００の皮膚との最初の接触後の時間間隔として定められてもよいし、代替的には皮膚組織の局所的凍結の開始後の時間間隔として定められてもよい。これらの温度で皮膚組織の上側層（例、基底層まで）の局所的凍結を誘導することによって、さらに色素沈着低下応答を改善できる。上側真皮層の少なくともいくつかの部分も凍結され得る。この例示的持続時間は、約１５秒間よりも長くてもよい。
【００６８】
処置時間は、好ましくは過剰な凍結を引き起こして冷却または凍結した組織の損傷を生じるほど長くなくてよい。たとえば、接触素子１１０の底面が約−４℃から−１０℃の温度に維持されるとき、色素沈着低下をもたらし得る皮膚表面領域の局所的凍結を誘導するためには約３０秒から６０秒間の接触時間で十分であり得る。本明細書に記載されるとおり、接触表面１４０に設けられたくぼみ２１０の存在によって、こうした凍結の一貫性および予測可能性を改善できる。一般的に、本明細書に記載される装置の例示的実施形態のジオメトリ、材料、および初期冷却温度に基づいて、適切な接触時間を定めることができる。特定の持続時間だけ接触素子１１０に近接する凍結組織のゾーンを生成するように、使用される時間および温度が選択され得る。
【００６９】
本開示の特定の例示的実施形態において、接触素子１１０の材料は、対応する装置が最初に冷却され、皮膚組織との接触が延長される際に接触素子１１０が徐々に温められ得るように選択されてもよい。たとえば、接触素子１１０および冷却要素１２０を特定の温度に冷却するために、例示的装置１００を冷凍庫に入れてもよい。代替的に、接触素子１１０および／または冷却要素１２０は、たとえば液体窒素などの冷媒を噴霧するか、またはたとえばアルコールおよび水の冷却溶液または低温生理食塩水などの低温浴に浸漬することによって冷却されてもよい。好ましくは、浴槽は予め定められた温度に維持され得る。冷却後、次いで接触素子１１０の底面を美白すべき皮膚の範囲に予め定められた時間だけ押し付けてもよく、それによって皮膚組織の一部を局所的に冷却および／または凍結してもよい。装置１００が皮膚表面に接触されるときに接触素子１１０が皮膚組織を十分に冷却して皮膚組織の少なくとも一部を凍結でき、それによってさらに色素沈着低下応答を生成できるように、たとえば接触素子１１０および冷却要素１２０は、好ましくは少なくとも−４℃またはそれ以下、たとえば−５℃または−７℃から−１０℃など、あるいは−１５℃から−２０℃という低温に冷却されてもよい。したがって、接触素子１１０はより長期間にわたって皮膚に接触して提供されてもよく、接触素子１１０を徐々に温めることによって、それに近接する皮膚の領域の過剰な冷却または凍結を防止できる。
【００７０】
本開示のさらなる例示的実施形態において、例示的冷却要素１２０は、１つまたはそれ以上のチャネルが設けられた材料の熱伝導性ブロックを含んでもよい。冷却要素１２０および隣接する接触素子１１０を冷却し、かつ任意にはそれらを特定の温度に維持するために、冷却された冷媒がチャネルに循環されてもよい。たとえば、こうした冷却要素１２０内のチャネルに冷却媒体を循環させるために、従来の流体ポンプ（図示せず）が用いられてもよい。こうした例示的ポンプは装置１００の近くまたは遠隔に置かれてもよいし、特定の例示的実施形態においては例示的装置１００に付着されてもよい。加えて、従来の技術を用いて断熱および／または能動的に冷却され得るリザーバ（図示せず）の中に冷却媒体が提供されてもよい。たとえば、本明細書に記載される１つまたはそれ以上の温度センサ４１０によって提供される信号に基づいて、冷却媒体の温度および／または流速を制御または変動することなどによって、接触表面１４０の所望の温度が維持され得る。
【００７１】
本開示のさらなる例示的実施形態において、装置１００の冷却要素１２０は、たとえば少なくとも約−４℃の低温、たとえば約−５℃から−１０℃、または任意には約−１５℃から−２０℃の低温などの特定の温度または温度範囲において固相−液相転移を示すように選択され得る冷媒を含み得る中空のリザーバ（図示せず）を含んでもよい。たとえば、接触素子１１０が（最初に低温であるときに）たとえばより温かい皮膚組織に接触することなどによって相転移温度まで温められるとき、相転移冷媒は、冷却要素１２０および／または接触素子１１０の温度を、より長期間にわたって（例、接触素子１１０および処置される皮膚組織のより長い接触期間の間、または処置される皮膚の複数の領域に対する例示的装置１００の適用の間）ほぼ相転移温度または特定の相転移温度範囲内に維持できる。皮膚組織から抽出された熱は、接触素子１１０および冷却要素１２０を通って、その中に提供された冷媒に伝導されてもよく、冷媒の相転移が進行するために、冷媒はその熱を比較的一定の温度で吸収できる。装置１００によって提供される冷却要素１２０と接触表面１４０との間の温度差が延長された期間にわたって実質的に一定に維持され得るため、この例示的配置は、接触表面１４０の予測可能および繰り返し可能な温度と、それに対応する、接触素子１１０に接触する皮膚からの熱伝達の流れの速度とを促進できる。加えてこの例示的配置は、特定の温度または温度の狭い範囲内、たとえば約−４℃以下、たとえば−５℃から−１０℃などにおける皮膚組織の上側部分の冷却および／または凍結を提供できる。こうした冷却温度を一貫して維持できる持続時間は、たとえば冷却要素１２０のサイズおよび材料、ならびに中に提供される相転移冷媒の量および組成などの要素に基づいていてもよい。
【００７２】
さまざまな例示的実施形態に関して本明細書に記載される、皮膚表面の接触冷却に基づく色素沈着低下効果は、表面に近接する組織の少なくとも局所的体積が凍結されるときにより効果的であり得る。０℃未満に冷却された、たとえば約−４℃から−１０℃などに冷却されたプレートまたはその他の物体に皮膚表面を接触させることによって達成されたものであっても、皮膚組織の冷却が常に局所的組織凍結をもたらすわけではない。代わりに、こうした例示的冷却手順が、凍結しない局所的に過冷却された組織をもたらすことがある。本明細書におけるさまざまな例示的実施形態に記載されるとおり、低温接触表面１４０上にくぼみ２１０を設けることによって、特定の接触表面温度および接触時間に対して何らかの局所的凍結を開始させる可能性を高くすることができる。特定の場合には、皮膚組織の局所的凍結の存在を確認できることが望ましくてもよい。
【００７３】
したがって、本開示のさらなる例示的実施形態において、接触表面１４０に近接する皮膚組織の局所的凍結を検出するための配置が提供されてもよい。こうした凍結検出は、たとえば冷却された皮膚において検出される光学特性、熱特性、および／または機械的特性の変化、またはその他の指標および技術などに基づいていてもよい。
【００７４】
本開示の例示的実施形態に従う冷却手順の際の組織凍結の検出を容易にできる例示的装置５００を、図５に示す。例示的装置５００は、たとえば図１に示される装置１００と類似の冷却要素１２０と、冷却要素１２０の下側表面に設けられた任意の冷却プレート１１０と、ハンドル１３０とを含み得る。冷却要素１２０は、本明細書のさまざまな例示的実施形態に記載される任意の冷却デバイスまたは配置（またはそれらの組み合わせ）を含み得る。たとえば、冷却要素１２０はペルチェ・デバイスなどを含んでもよい。装置５００には１つまたはそれ以上の光学コンジット５１０が設けられてもよく、この光学コンジット５１０の末端部５２０は、冷却プレート１１０の下側接触表面１４０（または任意には、分離した冷却プレート１１０が設けられていないときには、冷却要素１２０の底面）に近接して位置してもよい。光学コンジット５１０は、たとえば光ファイバまたは導波管などを含んでもよい。
【００７５】
本開示の特定の例示的実施形態において、光学コンジット５１０の１つまたはそれ以上の末端部５２０は、たとえば底部プレート１１０の一部を通って穿孔された小さい孔の中に光学コンジット５１０の末端部分を置くことなどによって、冷却プレート１１０の下側接触表面１４０に近接して設けられてもよい。さらなる例示的実施形態においては、他の例示的構成の光学コンジット５１０が設けられてもよく、ここでは装置５００の接触表面１４０が皮膚の上に置かれたときに、光学コンジット５１０の末端部５２０が皮膚表面に近接して設けられるか、および／または皮膚表面と光学的に連絡して設けられてもよい（例、光学コンジット５１０の末端部５２０と皮膚表面との間に妨害のない光路が存在するようにする）。
【００７６】
本明細書に記載される冷却手順の際に皮膚組織の凍結を検出するために、少なくとも１つの光学コンジット５１０の基端部が光源またはその他の光学エネルギ（図示せず）に連絡して設けられてもよい。約６００ｎｍから約８００ｎｍの波長を有する赤色光を放射するＬＥＤまたはその他の光源が、光源として使用され得る。本開示のさらなる例示的実施形態に従うと、その他の波長の光も使用され得る。たとえば、近ＩＲ範囲の光（例、約８００ｎｍから約２０００ｎｍの波長を有する光）を放射する光源も使用され得る。こうした近ＩＲ光は、処置される皮膚領域のメラニンレベルの変動に比較的非感受性であり得るため、さまざまな皮膚タイプにおいて凍結を検出するために使用され得る。
【００７７】
冷却手順の際に、少なくとも１つの光学コンジット５１０の末端部５２０から装置５００の下の皮膚表面の領域に、光が放射されてもよい。皮膚によって反射および／または散乱される光は、少なくとも１つの光学コンジット５１０の末端部５２０に入り、光学コンジット５１０を通って、光学コンジット５１０の基端部に設けられ得るたとえば従来の照度計、電荷結合素子（ｃｈａｒｇｅ−ｃｏｕｐｌｅｄ  ｄｅｖｉｃｅ：ＣＣＤ）、または光トランジスタなどの光学検出器（図示せず）に導かれてもよい。本開示のさらなる例示的実施形態においては、光学コンジット５１０の周囲部分に向けられる光の検出を容易にすることによって、皮膚に対する光学コンジット５１０の他の配向を用いた光の検出を容易にするために、光学コンジット５１０の末端部の代わりに、またはそれに加えて、光学コンジット５１０の他の部分からクラッディングを取り除いてもよい。
【００７８】
光学的な光の強度またはその他の特徴の変動が、局所的組織凍結の発生を示し得る。たとえば本開示の特定の例示的実施形態において、散乱光および／または反射光を検出するために用いられる光学コンジット５１０は、皮膚表面上に光を方向付けるために用いられる光学コンジット５１０と同じまたは類似のものであってもよいし、光を方向付けるために用いられる光学コンジット５１０の、たとえば約１〜２ｍｍ以内などの非常に近くに位置決めされてもよい。もし組織凍結が起これば、衝突する光の局所的反射率によって、検出光学コンジット５１０が受け取る光の量が増加し得る。こうした光信号の例示的増加を用いて、装置５００が特定の持続時間だけ皮膚の上に置かれるときに、皮膚組織の凍結を確認できる。本開示のさらなる例示的実施形態においては、ファイバ端部および組織表面からの鏡面反射を低減または抑制するために、光学コンジット５１０に１つまたはそれ以上の偏光素子が設けられてもよく、それによって局所的組織凍結のより高感度の検出が提供され得る。
【００７９】
本開示のさらなる例示的実施形態において、光を提供および／または検出するために用いられる光学コンジット５１０の末端部５２０は、たとえば約３〜４ｍｍより大きい分離距離などにて、さらに間隔を置かれてもよい。組織凍結が起こるとき、組織の反射率が増加してもよく、皮膚に向けられた光のより多くが表面領域から反射してもよく、一方で組織を通って横方向に散乱される光は少なくなってもよい。したがって、こうしたより遠くの検出光学コンジット５１０からの検出光信号が減少することによっても、皮膚組織の局所的凍結が示され得る。本開示のさらなる例示的実施形態において、１つまたはそれ以上の光学コンジット５１０の末端部５２０は、図５に示されるとおりにくぼみ２１０の間の接触表面１４０の領域に設けられる代わりに、またはそれに加えて、くぼみ２１０の内表面に設けられてもよい。
【００８０】
本明細書に記載されるとおりに組織凍結を検出するか、および／または組織凍結に関するさらなる詳細を得るために、本開示のさらなる例示的実施形態に従って、光学コンジット５１０の異なる例示的構成を提供してもよい。たとえば、複数の光学コンジット５１０の各々を、装置の下の皮膚表面に光を方向付けることと、皮膚組織によって散乱または反射された光を検出することとの両方に対して構成してもよい。組織の凍結の深さに対する情報を提供するために、複数のこうした光学コンジット５１０（例、３つまたはそれ以上）を使用してもよい。代替的または付加的に、本明細書に記載されるとおりに皮膚に光を方向付けるか、および／または光を検出するために、複数の間隔を置かれた光学コンジット５１０が構成されてもよい。光学コンジット５１０の１つまたはそれ以上の末端部に近接する凍結を示す光信号レベルの閾値変化を検出するために、光学検出器が構成および／または較正されてもよい。本開示の特定の例示的実施形態においては、装置５００が皮膚表面と接触して保持されるか、別様に維持されている間に組織凍結の発生を確認するために、たとえばＬＥＤもしくは白熱電球、音声発生器、またはデジタルディスプレイなどの表示器が提供されてもよい。
【００８１】
本開示のさらなる例示的実施形態においては、局所的組織凍結の発生を検出するために、たとえば図４Ａに示されるものなどの温度センサ４１０が構成されてもよい。たとえば、典型的な冷却手順において、温度センサ４１０によって検出される温度は、それが接触している冷却プレート１１０の温度に対応し得る。例示的装置１００、５００が皮膚表面に置かれるとき、冷却プレート１１０の接触表面１４０が皮膚によってわずかに温められるため、検出される温度は最初に上昇する。プレート１１０による皮膚の冷却が進むと、次いで測定温度が下降し得る。こうした下降の速度および程度は、たとえば冷却プレート１１０の初期温度、材料、およびジオメトリ（接触表面１４０のものを含む）、プレート１１０を冷却するために使用される冷却要素１２０の効率などのいくつかの要素に依存し得る。
【００８２】
（皮膚組織に存在し得るものなどの）水の凍結は発熱性のプロセスであり、液体から固体への相転移の際に特定の量の潜熱を生成または放出する。冷却プレート１１０の底面１４０に近接して組織凍結が起こるとき、凍結相転移の際のこの潜熱の放出によって起こる局所的温度のわずかな一時的上昇が検出されてもよい。次いで、（部分的に）凍結した組織のさらなる冷却が進行するにつれて、検出された温度は低下し続けてもよい。したがって、温度センサ４１０による時間的冷却曲線において検出される「コブ」が、局所的組織凍結の発生をも示し得る。
【００８３】
本発明の実施形態に従う組織の凍結の開始を検出するための光センサの使用を示すために、例示的な調査を行った。２０ｍｍ×２０ｍｍの平坦なアルミニウム接触プレートを−７．５℃の温度に冷却した。プレートに穿孔した孔に２本の１ｍｍ光ファイバを挿入し、本明細書に記載されるとおり、一方のファイバは冷却組織を照らすように構成し、第２のファイバは組織からの光を検出するように構成した。冷却したプレートを、メスのシンクレアブタの側腹領域の剪毛した皮膚表面に６０秒間接触させて置いた。冷却プレートと皮膚表面との接触点における温度をモニタするために、熱電対を用いた。この冷却手順の間に検出された光信号もモニタして記録した。
【００８４】
この冷却手順に対する例示的なデータの組を図６に示す。最初に冷却プレートがより温かい皮膚表面に接触したとき、（図６の点線で示される）測定温度は最初に急速に（約５〜６秒で）上昇することが観察された。次いで、プレートが隣接する皮膚を熱伝導によって冷却するにつれて、温度は下降した。図６に示されるデータグラフにおいて、この冷却は約６秒から１５秒の間に起こった。（光トランジスタを用いてボルトで測定し、図６のグラフにおいて実線で示される）光出力は、この冷却プロセスの間かなり一定のままであった。約１５秒において、温度の小さい上昇が検出されて、局所的組織凍結の開始および皮膚の凍結の潜熱の放出を示した。この組織凍結の開始には、検出された光信号の増加が付随した。凍結した皮膚が冷却され続けるとき、光信号は上昇したままであった。冷却プレートを除去後、皮膚の表面領域の部分が凍結していることを確認した。この調査は、皮膚表面に低温物体を接触させたときに検出される反射率レベルの変化に基づいて組織凍結の開始を検出するための、本明細書に記載される光センサの使用と、凍結の際の潜熱の放出に関連する局所温度の小さなプラトーまたは一時的上昇の存在によって組織凍結の開始を検出するための温度センサの使用とを実証するものである。
【００８５】
本開示のさらなる例示的実施形態においては、電気または機械インピーダンスの測定に基づく組織凍結の検出を容易にするために、センサが提供されてもよい。たとえば、水および組織を含むいくつかの材料において、凍結の開始によって電気インピーダンスが変化することが示されている。たとえばＡ．Ａ．ゲージ（Ｇａｇｅ）、クリオバイオロジー（Ｃｒｙｏｂｉｏｌｏｇｙ）１６、ｐ．５６−６２（１９７９）、Ｂ．ルビンスキー（Ｒｕｂｉｎｓｋｙ）、アニュアル・レビュー・オブ・バイオメディカル・エンジニアリング（Ａｎｎ．Ｒｅｖ．Ｂｉｏｍｅｄ．Ｅｎｇ．）０２、ｐ．１５７−８７（２０００）、およびＴ．Ｈ．ユ（Ｙｕ）ら、インターナショナル・ジャーナル・オブ・サーモフィジックス（Ｉｎｔｌ．Ｊ．Ｔｈｅｒｍｏｐｈｙｓｉｃｓ）、２４（２）（２００３年３月）などを参照。本開示の例示的実施形態の１つにおいて、電気インピーダンスは、皮膚表面に接触している冷却プレート１１０の底面に沿った２つまたはそれ以上の場所の間で測定できる。代替的には、冷却領域に近接して別個の表面電極を設けて、皮膚の局所電気インピーダンスを測定するために使用してもよい。皮膚の電気インピーダンスを検出するためのこうしたセンサは、本明細書に記載される任意の実施形態とともに用いられ得る。組織凍結を検出するように構成されたこれらのタイプのセンサ（熱、光、機械、力など）のいずれかを、単独または任意の組み合わせで、本明細書に記載される発明のさまざまな実施形態のいずれかとともに使用できる。
【００８６】
本開示のさらなる例示的実施形態においては、組織凍結を検出するために使用され得る、本明細書に記載される任意の検知要素（sensing arrangement）（例、温度センサ４１０または光学ガイド５１０）および装置と通信して、表示器が設けられてもよい。こうした表示器は、たとえば表示灯、ブザーもしくはその他の音声発生器、またはディスプレイパネルなどを含んでもよい。表示器は、組織凍結がいつ検出されたかを示すために、ユーザに第１の信号を提供または別様に送信するように構成されてもよい。所望の処置時間の開始を定めるために、こうした信号が任意に使用されてもよい。本開示の特定の例示的実施形態において、センサは制御要素１５０に信号を提供して、冷却要素１２０の動作および動作パラメータに影響を与えてもよい。たとえば、制御要素１５０はこうした信号に基づいて、冷却要素１２０をオンまたはオフにすること、供給される冷却の速度を変えることなどを行うための信号を送信するか、または機械的構成を提供してもよい。
【００８７】
加えて、局所的組織凍結の開始が検出されてからの経過時間を示すために、タイミング配置が提供されてもよい。任意には、タイミング配置は、局所的凍結の開始から予め定められた時間間隔または予めプログラムされた時間間隔が過ぎたときに、第２の信号を提供するか、別様に送信するように構成されてもよい。この第２の信号は、局所的冷却処置が終了したときを示し、使用した装置を皮膚表面との接触から離すことをユーザに促すために使用されてもよい。本開示のさらなる例示的実施形態において、タイミング配置は装置をいつ皮膚から取り除くべきかを示す第２の信号のみを提供し、局所的凍結の開始を示す第１の信号は提供しなくてもよい。
【００８８】
本開示のさらなる例示的実施形態において、接触素子１１０は、異なる熱浸透率を有し得る２つまたはそれ以上の材料から形成されてもよい。接触素子１１０内の特定の温度プロファイルを提供すること、接触素子表面の温度の可制御性を改善すること、接触素子１１０の表面上の熱吸収特性を修正することなどのために、こうした例示的複合構造を使用してもよい。こうした２つまたはそれ以上の材料は、単一材料の別個の層または領域として、連続的な組成の変動として、または２つもしくはそれ以上の材料の別個および連続的な組み合わせの両方の組み合わせとして提供されてもよい。
【００８９】
本開示の特定の例示的実施形態においては、図７の例示的断面構成に示されるとおり、接触素子１１０の上側部分７２０とは異なる熱浸透率を有する材料７１０が、接触素子１１０の末端表面１４０の少なくとも一部に任意に提供されてもよく、その材料は任意には層またはコーティングの形であってもよい。たとえば、ダイヤモンドおよびダイヤモンド様の炭素は非常に高い熱浸透率を有し、接触素子１１０の下側部分にこれらの材料の１つの層があることによって、接触素子１１０と処置される皮膚との熱伝達が改善されてもよい。代替的に、本開示のさらなる例示的実施形態において、接触素子１１０の上側部分７２０は、その末端または下側表面に提供される材料７１０よりも高い熱浸透率を有し得る。こうした例示的構成は、くぼみ２１０の間の接触表面１４０に隣接する皮膚組織３００からの熱抽出速度に対して、（図３Ａに示されるとおり）くぼみ２１０内に突出する皮膚組織３００の熱抽出の速度をさらに増加できる。
【００９０】
本開示のさらなる例示的実施形態においては、接触素子１１０の中および／またはその接触表面１４０上に、異なる熱浸透率を有する異なる材料のパターンまたは領域を設けてもよい。たとえば、こうした例示的装置１００、５００などの温度制御に影響するか、またはそれを改善するために、例示的装置１００、５００による熱抽出（例、冷却）のパターンに影響を与えるために、熱浸透率のこうした例示的変動が提供されてもよい。
【００９１】
本開示のさらなる例示的実施形態においては、図８の例示的断面構成に示されるとおりの、１つまたはそれ以上の圧力センサ８１０を含む、組織色素沈着に影響を与えるための装置８００が提供され得る。例示的装置８００はさらに、たとえばそれぞれ図１および図５に示される装置１００、５００と類似のものなどのハンドル３００、冷却要素１２０、および冷却要素１２０の下側表面に設けられた任意の冷却プレート１１０、ならびに本明細書に記載されるその任意の変形を含み得る。たとえば、装置８００の動作中に装置８００の接触表面１４０と皮膚または組織表面との間の接触圧力などを検出するために、圧力センサ８１０が使用されてもよい。こうした圧力検出は、たとえば、接触素子１１０と処置される組織との良好な熱接触を容易にするために十分または適切な圧力が加えられていることを確認すること、図３Ａに示されるとおりに柔軟な皮膚組織３００がくぼみ２１０に少なくとも部分的に突出することを促進するために十分な圧力があるかどうかを示すことなどのために有用であり得る。数ＰＳＩまたはそれ以上の接触圧力（例、血管内の収縮期圧力よりも高い、たとえば約２．５ＰＳＩまたはそれ以上など）によって、組織表面近くの血流の何らかの局所的分岐（ｂｌａｎｃｈｉｎｇ）または制限を生じることもできる。局所的分岐は、流れる血液による局所組織への熱伝達を低減できるために、装置１００、５００、８００による組織または皮膚表面近くの冷却または熱抽出を改善できる。
【００９２】
圧力センサ８１０は、圧力を検出するために使用できる任意の従来の構成要素、たとえば圧電性材料、ピエゾ抵抗ひずみゲージ、容量性または誘導性センサなどを含んでもよい。装置８００には１つまたはそれ以上の圧力センサ８１０が設けられてもよい。圧力センサ８１０の数、タイプ、および／または場所は、たとえば検出される接触圧力の信頼性などを含むいくつかの要素に基づいて選択されてもよい。たとえば、装置８００の熱伝達特性のあらゆる低減を最小化または回避するために、圧力センサ８１０は小さくてもよく、低い熱質量を有してもよく、および／または高い熱伝導性を有してもよい。
【００９３】
１つまたはそれ以上の圧力センサ８１０の場所は、装置８００の使用中に接触表面１４０と皮膚表面との接触圧力の正確な表示を提供するように選択されてもよい。たとえば、冷却要素１２０とハンドル３００とが良好な機械的接触を行っているときは、図８に示されるとおり、１つまたはそれ以上の圧力センサ８１０は冷却要素１２０の上側部分とハンドル３００との間に設けられてもよい。この例示的構成は、冷却要素１２０と皮膚表面との間の熱の流れまたは伝達のあらゆる低減を回避しながら、圧力検知能力を提供できる。本開示のさらなる例示的実施形態において、１つまたはそれ以上の圧力センサ８１０は、冷却要素１２０と接触素子１１０との間、接触素子１１０の接触表面１４０の上、接触素子１１０の中、またはこうした場所の任意の組み合わせに設けられ得る。
【００９４】
装置８００の上または近くに、圧力表示器（図示せず）が設けられてもよい。こうした圧力表示器は、検出された接触圧力のデジタルまたはアナログ表示、接触圧力が特定の圧力範囲の中もしくは外にあるか、または特定の限界より上／下にあるときに、それを示すためにオン／オフするかまたは色が変化し得る表示灯、可聴信号などを含み得る。圧力表示器は、装置８００の使用中に適切な接触圧力の存在を確認するための信号をオペレータに提供または別様に送信するために使用され得る。この圧力検知特徴は、たとえば異なるサイズおよび／または形状のくぼみ２１０および接触素子１１０、異なる冷却要素１２０、組織の凍結および／または温度を検出するための異なるセンサなどを含む、本明細書に記載される装置および方法の任意の例示的実施形態とともに使用され得る。
【００９５】
本開示のさらなる例示的実施形態においては、たとえばくぼみ２１０の中などにおける皮膚組織と接触プレート１１０との接触を改善するために、真空配置が使用されてもよい。たとえば、図９の例示的構成に示されるとおり、接触素子１１０の中に、下側表面１４０および／または１つもしくはそれ以上のくぼみ２１０の内表面に延在する末端部を有する１つまたはそれ以上のチャネル９１０が含まれてもよい。チャネル９１０の基端部に、真空ポンプまたはその他の従来の低圧供給源（図示せず）が結合されてもよい。チャネル９１０内の低圧の存在を制御するために、弁配置（同様に図示せず）が使用されてもよい。存在するとき、チャネル９１０は接触素子１１０を通る熱伝導のあらゆる顕著な妨害を避けるために十分に狭くてもよい。チャネル９１０の数、形状、サイズ、および構成は、たとえば接触素子１１０のサイズおよび形状、くぼみ２１０のサイズ、形状および数などの要素に基づいて選択されてもよい。チャネル９１０の基端部は、低圧供給源および／または弁配置への接続を容易にするために、装置内の任意の場所に設けられてもよい。
【００９６】
こうした例示的な真空配置は、接触素子１１０と皮膚組織とのより良好な接触を促進できる。たとえば、チャネル９１０内の低圧によって、くぼみ２１０と皮膚表面とによって形成される閉鎖された体積の圧力を低くでき、組織を少なくとも部分的にくぼみの凹部に引き上げることによって、くぼみの内部表面と皮膚組織とのより良好な物理的接触および熱接触を促進してもよい。例示的真空配置は、本明細書に記載される方法および装置のその他のさまざまな例示的特徴および実施形態のいずれかと組み合わされてもよい。
【００９７】
本開示の別の例示的実施形態においては、たとえば処置される皮膚の局所領域により良好に適合するために、接触素子１１０の接触表面１４０は可撓性または柔軟であってもよい。たとえば、可撓性の接触素子１１０の例示的構成を図１０に示す。接触素子１１０は、可撓性のくぼみのあるフィルム１０１０と、柔軟な伝導性媒体１０２０と、上側の熱伝導層１０３０とを含む。さらなる例示的実施形態においては、伝導性媒体１０２０が冷却要素１２０と直接接触して設けられるようにして、上側の熱伝導層１０３０が省略されてもよい。
【００９８】
フィルム１０１０は、可撓性または中程度の圧力（例、数ＰＳＩまたはそれ以上）において変形可能である１つまたはそれ以上の材料で形成されてもよい。フィルム１０１０の部分は、中に形成されるくぼみ２１０の形状を維持するために十分に剛性であってもよい。フィルム１０１０は少なくとも部分的に、本明細書に記載されるとおりの高い熱浸透率、たとえば皮膚組織の熱浸透率の１０倍を超える熱浸透率などを有する材料で形成されてもよい。たとえばフィルム１０１０は、さまざまな金属または金属合金の任意のものから少なくとも部分的に形成されてもよい。こうした材料は、可撓性を提供するために十分に薄いと同時に、構造的強度および高い熱浸透率をも提供してもよい。
【００９９】
伝導性媒体１０２０は、たとえば従来の熱伝導性のペースト、パテ、またはゲルなどを含み得る。さらなる例示的実施形態において、伝導性媒体１０２０は、本明細書に記載される好ましい温度範囲内、たとえば約−４℃から−２０℃などである相転移温度または範囲を有する２相スラリーまたはスラッシュ（例、固体／液体混合物）を含んでもよい。使用され得るこうした２相混合物の例は、生理食塩水、およびアルコール／水混合物などを含むが、それらに限定されない。こうした２相混合物は、装置１００、５００、８００が組織から熱を抽出して皮膚を冷却する際に、比較的安定な温度の維持を容易にできる。
【０１００】
伝導性媒体１０２０の層または体積は、比較的薄くてもよい。なぜなら、こうした非固体材料は、たとえば金属またはダイヤモンド様炭素などの特定の固体材料よりも低い熱拡散率を有する傾向があるからである。伝導性媒体１０２０の厚さは、処置される皮膚領域の局所的形状または輪郭に適合するためのフィルム１０１０の十分な変形を促進するために十分に大きくするべきである。こうした伝導性媒体１０２０の厚さは、たとえば装置１００、５００、８００が使用されるときのフィルム１０１０の所望の可撓性または変形の量などに基づいて、特定の装置に対して選択されてもよい。加えて、たとえば図１０などに示される変形可能または可撓性の接触表面１４０を有する接触素子１１０は、本明細書において開示される例示的方法および装置のさまざまな実施形態およびその他の特徴のいずれかとともに使用されてもよい。
【０１０１】
本開示の特定の例示的実施形態において、伝導性媒体１０２０と接触している上側の熱伝導層１０３０の下側表面（または、もし上側の伝導層１０３０が存在しなければ冷却要素１２０の下側表面）は、それが使用され得る表面の輪郭とより良好に適合するように、輪郭を付けられてもよい。たとえば、熱伝導層１０３０の下側表面（または冷却要素１２０の下側表面）は、凹状もしくは凸状であってもよく、円柱形、楕円体、もしくは球形のいずれかであってもよく、またはその下側表面は別の表面形状もしくはこうした局所的形状の組み合わせを有してもよく、実質的に平面状でなくてもよい。
【０１０２】
本開示のさらに別の例示的実施形態においては、たとえば図１１に示されるとおり、たとえば複数の冷却要素１２０および／または複数の接触素子１１０などを含む装置１１００が提供されてもよい。図１１に示される例示的構成は、２つの冷却要素１２０および２つの接触素子１１０を含み、１つの接触要素１１０が各冷却要素１２０と熱的に連絡して設けられる。加えて、例示的装置１１００は、たとえば２つまたはそれ以上の接触素子１１０と熱的に連絡して設けられた１つの冷却要素１２０、１つの接触素子１１０と熱的に連絡して設けられた複数の冷却要素１２０、またはこうした対形成の組み合わせなど、これらの特徴の他の組み合わせを含んでもよい。たとえば、特定の構成においては、単一の冷却要素１２０よりも複数の冷却要素１２０の方が、１つまたはそれ以上の接触素子１１０に対する良好な温度制御を提供できる。代替的に、特定の構成においては、単一の接触素子１１０よりも複数の接触素子１１０の方が、組織のより大きい処置面積により適合する接触表面１４０を提供できる。
【０１０３】
複数の冷却要素１２０および／または複数の接触素子１１０を含む本開示の例示的実施形態は、本明細書に記載されるあらゆるその他の特徴または実施形態とともに使用されてもよい。たとえば、１つもしくはそれ以上の温度センサ４１０および／または１つもしくはそれ以上の圧力センサ８１０が、各冷却要素１２０および／または各接触素子１１０と関連付けられてもよい。１つまたはそれ以上の制御要素１５０（図１１には示さず）が設けられてもよく、もし存在すれば温度センサ４１０および／または圧力センサ８１０の特定のものが、１つまたはそれ以上のこうした制御要素１５０と通信して設けられてもよい。本明細書に記載されて図２Ｂ〜２Ｋに示される任意のくぼみ特徴またはその任意の組み合わせが、接触素子１１０の任意のものとともに使用されてもよい。２つ以上の特定の特徴を含む装置１１００の特定の構成の設計は、たとえば望ましい温度制御を提供すること、より大きい面積の皮膚組織の制御された冷却を容易にすること、装置１１００の接触表面１４０全体にわたる局所的冷却パラメータの変動を与えることなどのための公知の設計原理に基づいていてもよい。１つまたはそれ以上のこうした接触素子１１０は、たとえば図１０に示されるとおり、変形可能な接触フィルム１０１０と、伝導性媒体１０２０とを含んでもよい。さらに、１つまたはそれ以上の接触素子１１０は、たとえば図７に示されて本明細書に記載されるとおりの、異なる熱浸透率（ｄｉｆｆｕｓｉｖｉｔｉｅｓ）を有する複数の材料を含んでもよい。
【０１０４】
本明細書に記載される任意の例示的実施形態に従う複数の寒冷療法処置が、皮膚のさらなる美白を生成するために皮膚の特定の範囲に対して行われ得る。こうした例示的な複数の処置は、特定の処置による色素沈着低下効果がその後の処置を行う前に視覚的に明白になるようにするために、たとえば数日間または数週間などのより長い間隔を置いて行われてもよい。こうした例示的な複数の処置は、処置範囲の皮膚外観を徐々に明るくするために使用され得る。
【０１０５】
本開示のさらなる例示的実施形態においては、低温技術を用いて色素沈着低下を生じることによって、皮膚組織の外観を徐々に制御可能に明るくするための方法が提供され得る。たとえば、本明細書に記載される例示的温度および時間を用いて色素沈着低下を誘導することなどのために、やはり本明細書に記載される複数のくぼみ２１０を含み得る接触表面１４０と接触させることによって、表皮皮膚組織の領域を冷却または凍結してもよい。こうした例示的手順の間に、凍結された表皮領域の下にある上側真皮層の部分も凍結または冷却され得る。これらの例示的な時間および温度の露出は、冷却または凍結した皮膚組織における色素沈着低下応答を誘導し得る。したがって、本明細書に記載される本開示に従う低温色素沈着低下の方法および／または手順の例示的実施形態は、処置される皮膚の範囲の徐々の美白を提供できる。
【０１０６】
加えて、本明細書に記載される例示的手順は、皮膚の特定の範囲をさらに明るくするためにそこに対して繰り返され得る。好ましくは、連続する手順の間隔は、色素沈着低下効果を視覚的に明白にして、得られる美白の全体の程度をより良好に制御することを可能にするために十分に長くてもよい。所望であれば、たとえば１つまたはそれ以上の特定の処置時間に対する１つまたはそれ以上の特定の温度における接触冷却または凍結を提供するための特定の例示的装置を用いて、皮膚の第１の範囲において第２の範囲よりも全体的に高い程度の色素沈着低下を提供するために、複数の例示的手順がもっと短い間隔で繰り返されてもよい。
【０１０７】
たとえ本明細書において単一の実施形態に特定の例示的組み合わせが明示的に例示または記載されていなくても、本明細書に記載される冷却要素、温度および／または凍結検出器、ならびにその他の装置特徴のさまざまな組み合わせが、本開示のさらなる例示的実施形態において使用され得る。さらにより有利な例示的実施形態を提供するために、可能であるときに各特徴の利点または特徴が組み合わされてもよい。
【実施例】
【０１０８】
本明細書に記載される制御された冷却手順の、皮膚色素沈着への影響の効力をテストするために、図１に示される装置１００と類似の、本開示の例示的実施形態に従う例示的装置を用いた。この装置は、約４０ｍｍの幅の正方形の低温表面と、深さ約２０ｍｍであって、直径約１０ｍｍの円形の接触表面１４０に向かって先細になったアルミニウムで形成される接触素子１１０とを有する熱電冷却機を含む。接触表面１４０は１８のディボット２１０を含み、各ディボット２１０は直径１ｍｍおよび深さ１ｍｍの丸い形状である。したがって、ディボット２１０によってカバーされる接触表面積の分率は約０．１８（１８％）である。接触表面１４０の端縁の近くの小さな溝の中にサーミスタを設けて、サーミスタの側部が接触表面１４０と実質的に同一平面になるようにした。サーミスタが測定する温度を予め設定した値に維持するために、冷却機に対して従来の制御要素を用いた。冷却機の高温側を冷却するために、循環する冷却剤を用いた。比較の目的のために、わずかに凸状の接触表面を有してくぼみを有さない、類似の寸法の第２の接触素子を用いて、接触温度および時間のさまざまな組み合わせに対する色素沈着効果に対するくぼみの効果を評価した。
【０１０９】
この例示的装置を用いて、接触表面温度および接触時間のさまざまな組み合わせに対して、シンクレアブタの側腹のマークを付けた場所を制御可能に冷却した。ブタのモデルは、多くの領域においてヒトとの生理学的および解剖学的類似を有する、生物医学研究に対するよく認識されたモデルである。たとえば、ブタの皮膚の組織学的特性および生化学的特性は、ヒトの皮膚のそれと類似していることが一般的に認識されている。ヒトと同様に、ブタは比較的無毛であり、固定された皮膚が皮下組織にしっかりと付着しており、加えてブタの皮膚は、たとえば角質層の厚さおよび濾胞構造など、ヒトの皮膚とのさらなる類似を示す。
【０１１０】
図１２Ａは、この図面の中央におけるブタの皮膚の特定の場所と、−９℃の温度にて提供したくぼみのある接触表面とを１５秒間の接触持続時間だけ接触させることによって観察された色素沈着低下を示すものであり、処置の４週間後に撮影したものである。図１２Ｂは、処置の９．５週間後に観察された、図１２Ａの色素沈着低下と同じ円形領域を示す。これらの画像においては、処置範囲の美白を明瞭にみることができる。
【０１１１】
図１３Ａの中央部分は、同様に−９℃の温度にて提供した平滑な（くぼみのない）接触表面と１５秒間の接触持続時間だけ接触させることによって処置したブタの皮膚の場所を、処置の４週間後に観察したものである。図１３Ｂは、処置の９．５週間後の、図１３Ａと同じ皮膚の冷却円形領域を示す。これらの画像においては、処置範囲の識別可能な美白はほとんどまたはまったくない。
【０１１２】
図１４Ａおよび図１４Ｂは、接触持続時間が３０秒間であったことを除いて図１２Ａおよび図１２Ｂに対して上述したものと同じパラメータによって、くぼみのある接触表面を用いて制御可能に冷却したブタの皮膚領域の画像（それぞれ処置の４週間後および９．５週間後に得たもの）を示す。同様に、図１５Ａおよび図１５Ｂは、他のパラメータは図１４Ａおよび図１４Ｂに対して上述したものと同じ（例、−９℃の接触表面温度における３０秒間の接触持続時間）にして、平滑な接触表面を用いて制御可能に冷却したブタの皮膚領域の画像（それぞれ処置の４週間後および９．５週間後に得たもの）を示す。ここでも、これらの画像の処置中央部分において、処置範囲の色素沈着低下はほとんどまたはまったくみられない。
【０１１３】
くぼみのある接触表面を用いるときの、図１２Ａ〜図１２Ｂおよび図１５Ａ〜図１５Ｂに対して記載されるものを含む時間／温度条件の範囲にわたって、皮膚組織の凍結およびその後の色素沈着低下を観察した。これに対し、類似の条件下で平滑な接触表面を使用したときには結果がそれほど一貫していなかった。たとえば、平滑な接触表面によって皮膚を−９℃に１５秒間冷却したときには、皮膚組織の凍結およびその後の色素沈着低下は観察されず、平滑な接触表面によって−９℃に３０秒間冷却したときには皮膚の冷却領域のいくつかのみが凍結および色素沈着低下を示した。
【０１１４】
一般的に、くぼみのある表面は、たとえば−７℃にて１５秒間および−５℃にて６０秒間などを含む、本明細書に記載されるさまざまな時間／温度条件下でブタの皮膚における何らかの皮膚凍結およびその後の色素沈着低下を一貫して生じ得ることを観察した。これに対し、類似の時間／温度条件下で平滑な接触表面を用いたときの皮膚の色素沈着低下の生成はそれほど一貫しておらず、より短い接触時間およびわずかに温かい温度の特定の組み合わせ（例、−９℃にて１５秒間）においては、色素沈着低下を何ら生じなかった。
【０１１５】
したがって、くぼみのある表面は、本明細書に記載される接触時間および温度の組み合わせに対して、皮膚組織において信頼性が高く繰り返し可能に凍結を開始して色素沈着低下効果を生じ得るのに対し、平滑な低温表面による類似の条件下での皮膚表面の冷却は、より信頼性の低い結果を生じ得る。さらに、くぼみのある接触表面の使用は、平滑な接触表面によって達成できるものよりもわずかに温かい温度および／または短い接触時間における色素沈着低下の生成を促進できる。
【０１１６】
前述は、本開示の例示的実施形態の原理を単に例示したものである。当業者によって図面、開示および添付の請求項の検討から請求される開示が実施される際に、開示される例示的実施形態に対するその他の変形が理解されて実施されてもよい。請求項において、「含む（ｃｏｍｐｒｉｓｉｎｇ）」という言葉は他の構成要素またはステップを排除するものではなく、さらに不定冠詞「ａ」または「ａｎ」は複数形を排除するものではない。単一のプロセッサまたはその他のユニットが、請求項に記載されるいくつかの項目またはステップの機能を満たしてもよい。単に特定の尺度が互いに異なる従属請求項に記載されているという事実は、これらの尺度の組み合わせを有利に使用できないことを示すものではない。請求項中の任意の参照符号は、請求項の範囲を制限するものと解釈されるべきではない。本明細書の教示に鑑みて、当業者には記載される例示的実施形態のさまざまな修正および変更が明らかになるであろう。よって当然のことながら、当業者は、本明細書に明示的に記載されていないが、本開示の原理を具現化するものであるために本開示の趣旨および範囲内である多数の技術を考案できるだろう。本明細書に引用されるすべての特許および出版物は、本明細書においてその全体が引用により援用される。
【図１】
2020110621.tif 000003
【図２Ａ】
2020110621.tif 000004
【図２Ｂ】
2020110621.tif 000005
【図２Ｃ】
2020110621.tif 000006
【図２Ｄ】
2020110621.tif 000007
【図２Ｅ】
2020110621.tif 000008
【図２Ｆ】
2020110621.tif 000009
【図２Ｇ】
2020110621.tif 000010
【図２Ｈ】
2020110621.tif 000011
【図２Ｉ】
2020110621.tif 000012
【図２Ｊ】
2020110621.tif 000013
【図２Ｋ】
2020110621.tif 000014
【図３Ａ】
2020110621.tif 000015
【図３Ｂ】
2020110621.tif 000016
【図３Ｃ】
2020110621.tif 000017
【図３Ｄ】
2020110621.tif 000018
【図４Ａ】
2020110621.tif 000019
【図４Ｂ】
2020110621.tif 000020
【図５】
2020110621.tif 000021
【図６】
2020110621.tif 000022
【図７】
2020110621.tif 000023
【図８】
2020110621.tif 000024
【図９】
2020110621.tif 000025
【図１０】
2020110621.tif 000026
【図１１】
2020110621.tif 000027
【図１２Ａ】
2020110621.tif 000028
【図１２Ｂ】
2020110621.tif 000029
【図１３Ａ】
2020110621.tif 000030
【図１３Ｂ】
2020110621.tif 000031
【図１４Ａ】
2020110621.tif 000032
【図１４Ｂ】
2020110621.tif 000033
【図１５Ａ】
2020110621.tif 000034
【図１５Ｂ】
2020110621.tif 000035
【外国語明細書】
2020110621000001.pdf